(57)【要約】【課題】印刷装置に対して各種設定を行う権限を持つユーザが印刷許可を与えた携帯端末に関する情報をあらかじめ登録しておくことで、印刷許可を与えられていない携帯端末からの印刷実行命令を印刷装置が受け付けないようにする方法を提供することを目的とする。【解決手段】あらかじめ保存領域に登録しおいた権限情報と印刷許可情報に関する識別情報と、携帯端末から送られてきた設定データの中から解析した識別情報を基に印刷を行うことができる携帯端末かどうか判断し、印刷ができない携帯端末からの印刷実行要求だった場合は受信したデータをそのまま読み捨ててしまうことを特徴とする印刷装置と印刷システムである。【選択図】        図１
2006168019.tif 000002
【特許請求の範囲】
【請求項１】
画像データ供給デバイスから無線により送信される記録に係る条件を含む設定データを受信すると、前記受信した設定データに従って記録に係る条件を設定し、前記設定データとは別に前記画像データ供給デバイスから送信された、前記画像データ供給デバイスに依存したデータ形式を有するデータに含まれる画像データを抽出し、復号してイメージデータに展開したのちに画像を記録する印刷装置であって、前記画像データ供給デバイスの印刷許可情報と権限情報に関する識別情報を複数保存することができる保存領域と、前記印刷装置に対して各種設定を行うことができる権限があるかどうかを前記保存領域の権限情報を通して判断する権限確認手段と、前記印刷装置の印刷制限モードを設定、および解除する手段と、前記保存領域に対して前記印刷許可情報に関する識別情報を登録、および削除する手段と、前記保存領域に対して前記権限情報に関する識別情報を登録、および削除する手段と、前記設定データから前記識別情報を検出し、その識別情報が前記保存領域の印刷許可情報に存在するか検索することで印刷可能かどうかを判断する印刷可否確認手段を有し、前記印刷可否確認手段は、前記印刷制限モードが解除されていた場合、あらゆる画像データ供給デバイスから印刷を行うことができるが、前記印刷制限モードが設定されていた場合、前記保存領域の印刷許可情報に保存されている識別情報と合致する画像データ供給デバイスからしか印刷を行わないことを特徴とする印刷装置。
【請求項２】
前記印刷許可情報と権限情報は、一意に決まる画像データ供給デバイス特有の情報であることを特徴とする請求項１に記載の印刷装置。
【請求項３】
前記印刷許可情報と権限情報は、画像データ供給デバイスからも、印刷装置上に十分な操作部があるならばその操作部からも登録、および削除できることを特徴とする請求項１又は２に記載の印刷装置。
【請求項４】
前記印刷許可情報と権限情報は、権限を有するユーザが任意に設定できる情報であることを特徴とする請求項１又は３に記載の印刷装置。
【請求項５】
画像データ供給デバイスから無線により送信される記録に係る条件を含む設定データを受信すると、前記受信した設定データに従って記録に係る条件を設定し、前記設定データとは別に前記画像データ供給デバイスから送信された、前記画像データ供給デバイスに依存したデータ形式を有するデータに含まれる画像データを抽出し、復号してイメージデータに展開したのちに画像を記録する印刷装置に用いられる印刷システムであって、保存領域に対して印刷許可情報に関する識別情報を登録、および削除する工程と、前記保存領域に対して前記権限情報に関する識別情報を登録、および削除する工程と、前記印刷装置に対して各種設定を行うことができる権限があるかどうかを前記保存領域の権限情報を通して判断する権限確認工程と、前記印刷装置の印刷制限モードを設定、および解除する工程と、前記設定データから前記識別情報を検出し、その識別情報が前記保存領域の印刷許可情報に存在するか検索することで印刷可能かどうかを判断する印刷可否確認工程を有し、前記印刷可否確認工程は、前記印刷制限モードが解除されていた場合、あらゆる画像データ供給デバイスから印刷を行うことができるが、前記印刷制限モードが設定されていた場合、前記保存領域の印刷許可情報に保存されている識別情報と合致する画像データ供給デバイスからしか印刷を行わないことを特徴とする印刷システム。
【請求項６】
前記印刷許可情報と権限情報は、一意に決まる画像データ供給デバイス特有の情報であることを特徴とする請求項５に記載の印刷システム。
【請求項７】
前記印刷許可情報と権限情報は、画像データ供給デバイスからも、印刷装置上に十分な操作部があるならばその操作部からも登録、および削除できることを特徴とする請求項５又は６に記載の印刷システム。
【請求項８】
前記印刷許可情報と権限情報は、権限を有するユーザが任意に設定できる情報であることを特徴とする請求項５又は７に記載の印刷システム。
【発明の詳細な説明】
【技術分野】
【０００１】
本発明は、外部から無線により送信されたデータを受信して記録可能な印刷装置及びその印刷システムに関するものである。特に本発明は、例えば携帯電話などの画像供給デバイスから無線で送信された画像データを含むデータを受信して記録できる印刷装置及びその印刷システムに関するものである。
【背景技術】
【０００２】
従来の印刷装置は、接続されたコンピュータをホスト装置とし、そのホスト装置から送信される画像データを受け取り、その画像データに従って印刷を行うものが一般的であった。これに対して近年、デジタルカメラの普及に伴い、デジタルカメラに着脱され、そのカメラで撮影した画像データを記憶しているメモリカードを取り付け可能なスロットが印刷装置に設けられ、そのメモリカードに記憶されている画像データを直接印刷装置が読み取って印刷できるようにしたものや、プリンタとデジタルカメラとをＵＳＢ（Ｕｎｉｖｅｒｓａｌ  Ｓｅｒｉａｌ  Ｂｕｓ）や特別なインターフェースを介して接続し、デジタルカメラからの画像データを印刷装置が直接受け取って印刷できるようにしたものが知られている。更に、近年においては、一般のデジタルカメラと同等の記録画素数（解像度）で撮像可能な機能を持たせた携帯電話装置やＰＤＡも増えてきたが、そのような携帯端末から赤外線インターフェースなどを利用して直接画像データを受信し印刷することができる印刷装置も登場している。
【０００３】
赤外線のような無線インターフェースから直接画像データを受信して印刷する場合、その無線インターフェースに対応している携帯端末からならば、端末側にその他の特別な仕組みがなくとも自由に印刷できることがメリットであるが、セキュリティが確立していなければそのメリットがデメリットにもなりうる。つまり、ユーザが意図していない携帯端末から、勝手に印刷装置を使われてしまう可能性がある。
【０００４】
これまで、印刷装置に関するセキュリティについては様々な実現方法が提案されているが、上記のような無線による印刷形態の場合、携帯端末自体がユーザ認証の鍵となる、もしくは携帯端末から直接セキュリティの設定ができる方法が、面倒な操作が少なく使い勝手の観点から好ましいと言える。携帯端末自体がユーザ認証の鍵となる技術としては、特許文献１が提案されている。この技術は、ユーザが所有するＢｌｕｅｔｏｏｔｈ方式の通信機器である携帯電話装置のリンクキーを、自分のユーザＩＤと対応させてあらかじめ印刷装置に登録しておき、ホストから印刷装置へ印刷データと共にユーザＩＤを送信すると、印刷装置は、受信したユーザＩＤに対応させて登録されているリンクキーを読み出し、印刷装置の通信エリア（ピコネットエリア）内で、読み出したリンクキーを用いて接続認証が成立する携帯電話装置を検索する。これにより、携帯電話装置を持ったユーザがピコネットエリアに入ると、印刷装置により接続認証が成立する携帯電話装置が検知され、印刷データの用紙への印刷動作が開始される。
【特許文献１】特開２００３−１５０３５４号公報
【発明の開示】
【発明が解決しようとする課題】
【０００５】
しかしながら、上記従来技術においても問題点がある。例えば、従来技術は印刷物に関するセキュリティであって、印刷装置自体の使用制限に関するセキュリティではなかった。また、印刷データを直接印刷装置に送信する外部機器以外にユーザ認証に必要な通信機器が必要であるため、本発明で想定している印刷形態とは異なる。
【０００６】
本発明は、上記問題を鑑みてなされたものであり、携帯端末側がセキュリティに関する特別な仕組みを持っていなくても、印刷装置に対して各種設定を行う権限を持つユーザが印刷許可を与えた携帯端末に関する情報をあらかじめ登録しておくことで、印刷許可を与えられていない携帯端末からの印刷実行命令を印刷装置が受け付けないようにする方法を提供するものである。
【課題を解決するための手段】
【０００７】
本発明の印刷装置は、上記課題を解決するために以下のような構成を備える。
【０００８】
すなわち、画像データ供給デバイスから無線により送信される、記録に関する条件を含む設定データを受信すると、受信した設定データに従って記録に関する条件を設定し、また、設定データとは別に画像データ供給デバイスから送信された、画像データ供給デバイスに依存したデータ形式を有するデータに含まれる画像データを抽出し、復号してイメージデータに展開したのちに画像を記録する印刷装置であって、画像データ供給デバイスの印刷許可情報と権限情報に関する識別情報を複数保存することができる保存領域と、印刷装置に対して各種設定を行うことができる権限があるかどうかを保存領域の権限情報を通して判断する権限確認手段と、印刷装置の印刷制限モードを設定、および解除する手段と、保存領域に対して印刷許可情報に関する識別情報を登録、および削除する手段と、保存領域に対して権限情報に関する識別情報を登録、および削除する手段と、設定データから識別情報を検出し、その識別情報が保存領域の印刷許可情報に存在するか検索することで印刷可能かどうかを判断する印刷可否確認手段を有し、印刷可否確認手段は、前記印刷制限モードが解除されていた場合、あらゆる画像データ供給デバイスから印刷を行うことができるが、印刷制限モードが設定されていた場合、保存領域の印刷許可情報に保存されている識別情報と合致する画像データ供給デバイスからしか印刷を行わないことを特徴とする。
【０００９】
本発明の印刷装置の印刷システムは、以下のような工程を備える。すなわち、画像データ供給デバイスから無線により送信される記録に係る条件を含む設定データを受信すると、前記受信した設定データに従って記録に係る条件を設定し、前記設定データとは別に前記画像データ供給デバイスから送信された、前記画像データ供給デバイスに依存したデータ形式を有するデータに含まれる画像データを抽出し、復号してイメージデータに展開したのちに画像を記録する印刷装置に用いられる印刷システムであって、保存領域に対して印刷許可情報に関する識別情報を登録、および削除する工程と、保存領域に対して権限情報に関する識別情報を登録、および削除する工程と、印刷装置に対して各種設定を行うことができる権限があるかどうかを保存領域の権限情報を通して判断する権限確認工程と、印刷装置の印刷制限モードを設定、および解除する工程と、設定データから識別情報を検出し、その識別情報が保存領域の印刷許可情報に存在するか検索することで印刷可能かどうかを判断する印刷可否確認工程を有し、印刷可否確認工程は、印刷制限モードが解除されていた場合、あらゆる画像データ供給デバイスから印刷を行うことができるが、印刷制限モードが設定されていた場合、保存領域の印刷許可情報に保存されている識別情報と合致する画像データ供給デバイスからしか印刷を行わないことを特徴とする。
【発明の効果】
【００１０】
本発明は、印刷装置に各種設定を行うことができる権限を持つユーザが、印刷できる許可を与えた携帯端末に関する情報をあらかじめ登録しておくことで、携帯端末から無線により印刷を行う際に、印刷する許可を与えられていない携帯端末からの印刷実行命令を受け付けないようにする機能を有する。これにより、無線の規格で定められているセキュリティ性能の優劣に関係なく、印刷装置を用いることができるユーザを制限することができる。
【発明を実施するための最良の形態】
【００１１】
実施例において、本発明の実施の形態を図面と共に説明する。
【実施例】
【００１２】
＜第１の実施形態＞
図１は、本発明の第１の実施形態に係る印刷装置１００の概観斜視図である。この印刷装置１００は、ホストコンピュータ（ＰＣ）からデータを受信して印刷する通常のＰＣプリンタとしての機能とは別に、デジタルカメラから無線によりダイレクトに画像データを受信して印刷する機能を備えている。記録方式としては、如何なるものでも良いが、第１の実施形態では記録解像度、印刷品質等の観点から、熱エネルギーを利用してインク液滴を記録媒体（記録紙）に向けて吐出するインクジェットプリンタとした。
【００１３】
図示において、本発明の第１の実施形態に係る印刷装置１００の外殻をなす本体は、下ケース１０１、上ケース１０２、アクセスカバー１０３、及び、排出トレイ１０４の外装部材を有している。また、下ケース１０１は、印刷装置１００の略下半部を、上ケース１０２は本体の略上半部をそれぞれ形成しており、両ケースの組合せによって内部に後述の各機構を収納する収納空間を有する中空体構造をなし、その上面部及び前面部にはそれぞれ開口部が形成されている。さらに、排出トレイ１０４は、その一端部が下ケース１０１に回転自在に保持され、その回転によって下ケース１０１の前面部に形成される開口部を開閉させ得るようになっている。このため、記録動作を実行させる際には、排出トレイ１０４を前面側へと回転させて開口部を開成させることにより、ここから記録媒体が排出可能となると共に、排出された記録媒体を順次積載し得るようになっている。
【００１４】
アクセスカバー１０３は、その一端部が上ケース１０２に回転自在に保持され、上面に形成される開口部を開閉し得るようになっており、このアクセスカバー１０３を開くことによって本体内部に収納されている記録ヘッドカートリッジ（不図示）あるいはインクタンク（不図示）等の交換が可能となる。なお、ここでは特に図示しないが、アクセスカバー１０３を開閉させると、その裏面に形成された突起がカバー開閉レバーを回転させるようになっており、そのレバーの回転位置をマイクロスイッチなどで検出することにより、アクセスカバー１０３の開閉状態を検出し得るようになっている。また、上ケース１０２の上面には、電源キー１０５が押下可能に設けられている。また、上ケース１０２の右側には、液晶表示部１０６（簡単なメッセージ表示用）や各種キースイッチ等を備える操作パネル１０８が設けられている。１０７は自動給送部で、記録媒体を装置本体内へと自動的に給送する。１０９は赤外線通信インターフェースであり、携帯端末の赤外線インターフェースとの間で通信可能に構成されている。なお、この印刷装置１００の後面には、ＰＣを接続するためのコネクタ端子が設けられている。
【００１５】
図２は、本発明の第１の実施形態に係る印刷装置１００のブロック構成図である。印刷装置１００は、先に説明したように、ＰＣと接続して印刷する機能（装置背面にＰＣと接続するコネクタ端子が設けられていることは既に説明した）を有する。また、赤外線インターフェースを持つ携帯端末と無線により直接データを送信し印刷する機能（図１における赤外線インターフェース１０９）を有する。かかる機能を実現するため、ＰＣと通信するためのＰＣ通信Ｉ／Ｆ２０１、赤外線インターフェースを持つ携帯端末と通信するための赤外線通信Ｉ／Ｆ２０２を備えている。
【００１６】
保存領域２０３は、不揮発性メモリから構成され、印刷装置１００に対して各種設定を行うことができる権限をもつユーザの携帯端末の識別情報を、権限情報として複数保存することができる。また、印刷装置１００に対して印刷を実行することができるユーザの携帯端末の識別情報を、印刷許可情報として複数保存することができる。識別情報には、携帯端末を一意に判別できる情報（例えば携帯端末のシリアル番号や携帯電話ならばその電話番号など）を使う。
【００１７】
セキュリティ制御部２０４は、印刷装置１００に対して各種設定を行うことができる権限があるかどうかを保存領域２０３に保存されている権限情報を通して判断する権限確認手段と、印刷装置の印刷制限モードを設定、および解除する手段と、保存領域２０３に対して印刷許可情報に関する識別情報を登録、および削除する手段と、保存領域２０３に対して権限情報に関する識別情報を登録、および削除する手段と、携帯端末から送られてくる設定データより識別情報を検出し、その識別情報が保存領域２０３の印刷許可情報に存在するか検索することで印刷可能かどうかを判断する印刷可否確認手段を持っている。
【００１８】
つまり、セキュリティ制御部２０４は、印刷制限モードが設定されていなければ、外部（２０１、２０２、２０９）からの印刷実効命令に対して制限を加えずにシステム制御部２０５に処理してもらう。しかし、印刷装置１００に対して各種設定を行うことができる権限を持つユーザが印刷制限モードを設定すると、外部（２０１、２０２、２０９）とシステム制御部２０５との間にセキュリティ制御部２０４が制限をしき、あらかじめ保存領域２０３の印刷許可情報に保存されている識別情報によって判別される携帯端末からの命令以外は受け付けないようにする。
【００１９】
例えば、印刷制限モード時に図３のような送信データが携帯端末から印刷装置に送られてきた場合、セキュリティ制御部２０４は受信データ内の設定データから識別情報を取得し、保存領域の印刷許可情報に取得した識別情報が登録されているかどうか検索する。もし、取得した識別情報が登録されていたならば、受信したデータをそのままシステム制御部に渡すが、登録されていないならば、受信データを読み捨ててしまう。
【００２０】
システム制御部２０５は、ＭＰＵ、ＲＡＭ、ＲＯＭ、等から構成され、印刷装置１００の全体の制御を司る。例えば、システム制御部２０５は、ユーザが情報端末から印刷したい画像データと設定データを印刷装置へ無線にて送ると、セキュリティ制御部２０４を介して受信したデータを取得し、画像処理部２０６に対して取得した画像データの画像展開を命令することができる。また、印刷処理部２０７に対して、画像展開後のデータの印刷実行を命令することができる。
【００２１】
画像処理部２０６は、画像データに対して画像処理を行い、印刷処理部２０７が印刷可能なデータにすることができる。
【００２２】
印刷処理部２０７は、不図示の各記録色成分のインクタンク及びその記録ヘッドを搭載したキャリッジを走査運動する機構、及び、記録紙を搬送する機構、並びに、記録ヘッドの駆動回路等で構成され、システム制御部２０５によって制御される。
【００２３】
操作部２０８は、印刷装置の操作に関係のある操作キーなどを指す。
【００２４】
表示部２０９は、グラフィカルユーザインターフェースやプレビューを表示できる表示装置全般（カラー液晶、ドットマトリクス液晶、パターン液晶など）を指す。
【００２５】
図４は、携帯端末から印刷装置１００に印刷制限モードを設定する処理手順を示すフローチャートである。まず、ステップＳ４０１では、セキュリティ制御部２０４が受信したデータ内の設定データから携帯端末の識別情報を解析し、識別情報が存在するかどうか判断する。もし、識別情報が存在するならばステップＳ４０２へ進む。もし、識別情報が存在しなければそのまま処理を終了する。ステップＳ４０２では、セキュリティ制御部２０４が取得した識別情報が保存領域２０３内に登録されている権限情報の中に存在するかどうか検索する。ステップＳ４０３では、セキュリティ制御部２０４がステップＳ４０２において行った検索の結果を判断する。もし、権限情報の中に対象となる識別情報が存在するならば、ステップＳ４０４へ進む。もし、存在しなければそのまま処理を終了する。ステップＳ４０４では、セキュリティ制御部２０４が受信したデータ内の設定データから印刷制御モードのＯＮ／ＯＦＦに関する情報を取得する。ステップＳ４０５では、セキュリティ制御部２０４がステップＳ４０４にて取得した印刷制御モードのＯＮ／ＯＦＦに関する情報にしたがって印刷制限モードのＯＮ／ＯＦＦを設定する。
【００２６】
図５は、携帯端末から印刷装置１００に印刷要求を送ったときの印刷処理手順を示すフローチャートである。まず、ステップＳ５０１では、セキュリティ制御部２０４が現在の印刷制限モードの状態を確認する。もし、印刷制限モードがＯＮならばステップＳ５０２へ進む。もし、ＯＦＦならばステップＳ５０５へ進む。ステップＳ５０２では、セキュリティ制御部２０４が受信したデータ内の設定データから携帯端末の識別情報を解析し、識別情報が存在するかどうか判断する。もし、識別情報が存在するならばステップＳ５０３へ進む。もし、識別情報が存在しなければそのまま処理を終了する。ステップＳ５０３では、セキュリティ制御部２０４が取得した識別情報が保存領域２０３内に登録されている印刷許可情報の中に存在するかどうか検索する。ステップＳ５０４では、セキュリティ制御部２０４がステップＳ５０３において行った検索の結果を判断する。もし、印刷許可情報の中に対象となる識別情報が存在するならば、ステップＳ５０５へ進む。もし、存在しなければそのまま処理を終了する。ステップＳ５０５では、セキュリティ制御部２０４がシステム制御部２０５へ印刷要求が送られている旨を通知する。ステップＳ５０６では、システム制御部２０５が画像処理部２０６と印刷処理部２０７を用いて印刷処理を実行する。
【００２７】
図６は、携帯端末から印刷装置１００に権限情報の登録ｏｒ削除を行うときの処理手順を示すフローチャートである。増す、ステップＳ６０１では、セキュリティ制御部２０４が受信したデータ内の設定データから携帯端末の識別情報を解析し、識別情報が存在するかどうか判断する。もし、識別情報が存在するならばステップＳ６０２へ進む。もし、識別情報が存在しなければそのまま処理を終了する。ステップＳ６０２では、セキュリティ制御部２０４が取得した識別情報が保存領域２０３内に登録されている権限情報の中に存在するかどうか検索する。ステップＳ６０３では、セキュリティ制御部２０４がステップＳ６０２において行った検索の結果を判断する。もし、権限情報の中に対象となる識別情報が存在するならば、ステップＳ６０４へ進む。もし、存在しなければそのまま処理を終了する。ステップＳ６０４では、セキュリティ制御部２０４が受信したデータ内から登録ｏｒ削除する権限情報に関する識別情報を取得する。なお、この識別情報は、設定命令を印刷装置１００に送っている携帯端末以外の携帯端末の識別情報であってもかまわない。ステップＳ６０５では、セキュリティ制御部２０４がステップＳ６０４にて取得した識別情報を保存領域２０３へ権限情報として登録ｏｒ削除する。
【００２８】
図７は、携帯端末から印刷装置１００に許可情報の登録ｏｒ削除を行うときの処理手順を示すフローチャートである。まず、ステップＳ７０１では、セキュリティ制御部２０４が受信したデータ内の設定データから携帯端末の識別情報を解析し、識別情報が存在するかどうか判断する。もし、識別情報が存在するならばステップＳ７０２へ進む。もし、識別情報が存在しなければそのまま処理を終了する。ステップＳ７０２では、セキュリティ制御部２０４が取得した識別情報が保存領域２０３内に登録されている権限情報の中に存在するかどうか検索する。ステップＳ７０３では、セキュリティ制御部２０４がステップＳ７０２において行った検索の結果を判断する。もし、権限情報の中に対象となる識別情報が存在するならば、ステップＳ７０４へ進む。もし、存在しなければそのまま処理を終了する。ステップＳ７０４では、セキュリティ制御部２０４が受信したデータ内から登録ｏｒ削除する印刷許可情報に関する識別情報を取得する。なお、この識別情報は、設定命令を印刷装置１００に送っている携帯端末以外の携帯端末の識別情報であってもかまわない。ステップＳ７０５では、セキュリティ制御部２０４がステップＳ７０４にて取得した識別情報を保存領域２０３へ印刷許可情報として登録ｏｒ削除する。
【００２９】
なお、上記実施例では、図１において印刷装置１００に液晶表示部１０６が存在することになっているが、そのような表示部がないシンプルな構成の印刷装置であって本出願に係る発明に含まれることは言うまでもない。
【００３０】
＜第２の実施形態＞
上記実施形態（第１の実施形態）は、携帯端末を一意に認識することができる情報を識別情報としたものであった。しかし、一意に認識することができる情報が存在しなかったり、存在しても印刷装置に情報を通知するしくみがなかったりするような携帯端末であった場合は、送信する設定データの中に識別情報を含めることができない可能性もある。そこで、第２の実施形態は係る点に対応し、任意の情報を識別情報として用いるものである。
【００３１】
本発明の第２の実施形態における装置概観図は図１と同じであり、プリンタ内部のブロック構成図についても図２と同様であるが、保存領域２０３保存される識別情報と操作部２０９の使い方が第１の実施形態と多少異なる。そこで、それらの点に関して説明することとする。
【００３２】
第１の実施形態の保存領域２０３と異なる点は、保存する識別情報が携帯端末を一意に認識することができる情報の他に、任意に判別できる情報（パスワードなど）といったものも含む点である。
【００３３】
第１の実施形態の操作部２０９と異なる点は、任意に決定できる情報も識別情報として用いるため、携帯端末からだけではなく、操作部２０９からもその任意に判別できる情報を入力することができるという点である。
【図面の簡単な説明】
【００３４】
【図１】本発明の第１の実施形態に係る印刷装置１００の概観斜視図
【図２】本発明の第１の実施形態に係る印刷装置１００のブロック構成図
【図３】送信データが携帯端末から印刷装置に送られてきた場合のセキュリティ制御部２０４の情報制限処理図
【図４】携帯端末から印刷装置１００に印刷制限モードを設定する処理手順を示すフローチャート
【図５】携帯端末から印刷装置１００に印刷要求を送ったときの印刷処理手順を示すフローチャート
【図６】携帯端末から印刷装置１００に権限情報の登録ｏｒ削除を行うときの処理手順を示すフローチャート
【図７】携帯端末から印刷装置１００に許可情報の登録ｏｒ削除を行うときの処理手順を示すフローチャート
【符号の説明】
【００３５】
１００  印刷装置
１０１  下ケース
１０２  上ケース
１０３  アクセスカバー
１０４  排出トレイ
１０５  電源キー
１０６  液晶表示部
１０７  自動給送部
１０８  操作パネル
１０９  赤外線通信インターフェース
２０１  ＰＣ通信インターフェース
２０２  赤外線通信インターフェース
２０３  保存領域
２０４  セキュリティ制御部
２０５  システム制御部
２０６  画像処理部
２０７  印刷処理部
２０８  表示部
２０９  操作部
【図１】
2006168019.tif 000003
【図２】
2006168019.tif 000004
【図３】
2006168019.tif 000005
【図４】
2006168019.tif 000006
【図５】
2006168019.tif 000007
【図６】
2006168019.tif 000008
【図７】
2006168019.tif 000009